(57)【要約】【課題】  移動先の内線端末をログインし、ログインしたユーザーに対する呼び出し状態に設定した後、このユーザーが移動先にいなくなった場合、自動的に移動先の内線端末をログインしたユーザーに対する呼び出しを防止する。【解決手段】  ユーザーＡが移動先の内線端末１１２に対して自動ログアウトを設定し、自動ログアウト時間の経過後に、ある一定の期間は、移動先の内線端末１１２に呼び出しを行い、一定時間応答しないときは、自動ログアウトを行い、移動元の内線端末１１１を呼び出すようにした。【選択図】  図１ 
2005151441.tif 000002
【特許請求の範囲】
【請求項１】
第１の内線端末のユーザーが移動先の第２の内線端末にログインすることにより、自分の電話として使用が可能なユーザーモビリティ機能を有する着信制御システムにあって、
前記第２の内線端末からログイン操作後に、該第２の内線端末を自動ログアウトに設定するか否かを選択する手段と、
前記手段により自動ログアウトに設定された場合に、自動ログアウトするまでのログインの有効時間をログアウトしたい時刻の絶対時間で設定する手段と、
前記第２の内線端末のログイン操作の有効時間経過後に、該第２の内線端末を自動的にログアウトする手段とを具備したことを特徴とする着信制御システム。
【請求項２】
自動ログアウトするまでのログインの有効時間は、現時刻からの相対時間で設定したことを特徴とする請求項１記載の着信制御システム。
【請求項３】
ログインの有効時間は、絶対時刻設定または相対時間設定かを判断して設定したことを特徴とする請求項１または２記載の着信制御システム。
【請求項４】
ログインの有効時間が経過後、一定の期間は移動先内線端末の呼び出しを行い、一定時間応答しないときは移動元内線端末を呼び出す手段を備えたことを特徴とする請求項１記載の着信制御システム。
【請求項５】
第１の内線端末のユーザーが移動先の第２の内線端末にログインすることにより、自分の電話として使用が可能なユーザーモビリティ機能を有する着信制御方法にあって、
前記第２の内線端末からログイン操作後に、該第２の内線端末を自動ログアウトに設定するか否かを選択し、
前記手段により自動ログアウトに設定された場合に、自動ログアウトするまでのログインの有効時間をログアウトしたい時刻の絶対時間で設定し、
前記第２の内線端末のログイン操作の有効時間経過後に、該第２の内線端末を自動的にログアウトすることを特徴とする着信制御方法。
【請求項６】
自動ログアウトするまでのログインの有効時間の設定を、現時刻からの相対時間としたことを特徴とする請求項５記載の着信制御方法。
【請求項７】
ログインの有効時間の判断を、絶対時刻設定または相対時間設定としたことを特徴とする請求項５または６記載の着信制御方法。
【請求項８】
ログインの有効時間が経過後に、一定の期間は移動先内線端末の呼び出しを行い、一定時間応答しないときは移動元内線端末を呼び出すようにしたことを特徴とする請求項５記載の着信制御方法。
【発明の詳細な説明】
【技術分野】
【０００１】
この発明は、内線端末のユーザーが移動先の他の内線端末にログインすることにより、自分の電話として使用ができるユーザーモビリティ機能を有する着信制御システムおよび着信制御方法に関する。
【背景技術】
【０００２】
従来の「追っかけ電話」と呼ばれているユーザーモビリティ機能は、ユーザーＡが場所を移動し、移動先の内線端末からのログインを操作することで、特定のユーザーに適合した使用可能な状態に設定するためのログインを行う内線端末に対して固定で割り振られている内線番号に加えてユーザーＡの内線番号を追加して割り振ることにより、一時的に自分の電話として利用できるものである。（例えば、特許文献１）
【特許文献１】特開平９−１３５２９３号公報（第３頁、図３）
【発明の開示】
【発明が解決しようとする課題】
【０００３】
上記した特許文献１の技術は、移動先から移動元に戻るときに、ユーザーＡが移動先内線端末にてログアウト操作を忘れてしまった場合には、ユーザーＡに対する呼び出しは、いつまでも移動先内線端末に対して行われ、移動元内線端末を呼び出すことができず、ユーザーＡが自分に対する呼び出しに応答できない状態となってしまう、という問題があった。
【０００４】
この発明の目的は、移動先の内線端末に対してログイン設定した後に、自動的にログアウトさせることを可能とする。
【課題を解決するための手段】
【０００５】
上記した課題を解決するために、この発明の着信制御システムは、第１の内線端末のユーザーが移動先の第２の内線端末にログインすることにより、自分の電話として使用が可能なユーザーモビリティ機能を有するものにあって、前記第２の内線端末からログイン操作後に、該第２の内線端末を自動ログアウトに設定するか否かを選択する手段と、前記手段により自動ログアウトに設定された場合に、自動ログアウトするまでのログインの有効時間をログアウトしたい時刻の絶対時間で設定する手段と、前記第２の内線端末のログイン操作の有効時間経過後に、該第２の内線端末を自動的にログアウトする手段とを具備したことを特徴とする。
【０００６】
また、この発明の着信制御方法は、第１の内線端末のユーザーが移動先の第２の内線端末にログインすることにより、自分の電話として使用が可能なユーザーモビリティ機能を有する方法にあって、前記第２の内線端末からログイン操作後に、該第２の内線端末を自動ログアウトに設定するか否かを選択し、前記手段により自動ログアウトに設定された場合に、自動ログアウトするまでのログインの有効時間をログアウトしたい時刻の絶対時間で設定し、前記第２の内線端末のログイン操作の有効時間経過後に、該第２の内線端末を自動的にログアウトすることを特徴とする。
【発明の効果】
【０００７】
この発明によれば、移動先の内線端末にユーザーＡがログインしユーザーＡに対する呼び出し状態に設定した後、ユーザーＡが移動先にいなくなった場合、自動的に移動先の内線端末のユーザーＡに対する呼び出しを防止することか可能となる。
【発明を実施するための最良の形態】
【０００８】
以下、この発明の実施例について、図面を参照しながら詳細に説明する。
【０００９】
図１は、この発明の一実施例について説明するためのシステム構成図である。図１において、ＩＰ電話機等の内線端末１１１，１１２〜１１ｎは、ＬＡＮ回線１２を介してＬＡＮインターフェース１３に接続される。音声系は交換機１４内の音声伝送路１４１を介してトランク回路１５１，１５２〜１５ｎと接続され、データ系は交換機１４のデータ伝送路１４２を介してトランク回路１５１，１５２〜１５ｎと接続される。トランク回路１５１，１５２〜１５ｎは、局線１６１，１６２〜１６ｎを介してネットワーク１７とそれぞれ接続される。
【００１０】
ＬＡＮインターフェース回路１３、トランク回路１５１，１５２〜１５ｎは、メモリ１９に書き込まれたプログラムに基づき音声伝送路１４１、データ伝送路１４２を介して制御部１８との間で制御信号の送受を行い、内線端末１１１，１１２〜１１ｎと局線１６１，１６２〜１６ｎとの間の通話を形成する。
【００１１】
図２は、移動先で自動ログアウトを設定する場合の着信動作について説明するための模式図である。この場合、ユーザーＡが内線端末１１１の設置場所から、内線端末１１２の設置場所へ移動し、内線端末１１２に対してユーザーＡの内線番号２００に基づき自動ログアウトを設定してログイン操作することから、内線端末１１２には内線番号２００が追加され、また、内線端末１１１から内線番号２００は自動ログアウトされた状態となる。この際、ユーザーＣがユーザーＡと通話したいため、２００をダイヤルしたとき、その呼び出しは内線端末１１２に対して行われ、移動先の内線端末１１２にその人宛の着信が追いかけてくることとなる。一方、ユーザーＡが内線端末１１２に対してログインしている間は、内線番号２００に対する着信は、内線端末１１１に対しては行われなくなる。
【００１２】
図３は、内線端末１１２において内線番号２００を自動ログアウト設定した図２に示す状態以降の着信動作について説明するための模式図である。
【００１３】
すなわち、ユーザーＡが内線端末１１２の設置場所にて自動にてログアウトを設定し、内線端末１１１の設置場所へ移動後、自動ログアウトが実行されて内線端末１１２から内線番号２００は削除され、また、内線端末１１１に対してユーザーＡの内線番号２００により自動ログインされた状態となる。この際、ユーザーＣがユーザーＡと通話したいため、２００をダイヤルしたとき、その呼び出しは内線端末１１１に対して行われ、移動元の内線端末１１１にその人宛の着信が戻ることとなる。一方、ユーザーＡが内線端末１１２より自動ログアウトしたため、内線番号２００に対する着信は、内線端末１１２に対しては行われなくなる。
【００１４】
図４は、自動ログアウトが設定されるまでの処理の流れについて説明するためのフローチャートであり、図１とともに説明する。
【００１５】
まず、ユーザーＡが内線端末１１１の設置場所から、内線端末１１２の設置場所へ移動し、内線端末１１２に対してログイン設定開始コード、ユーザーＡの内線番号２００、パスワード、ログイン終了コードを入力すると（Ｓ４０１）、その入力情報は、ＬＡＮ回線１２、ＬＡＮインターフェース回路１３、データ伝送路１４２を介して制御部１８に伝えられ、メモリ１９内のデータベースに登録されている情報と比較を行い、入力内容が正しいか否かを判断する（Ｓ４０２）、入力内容が正しい場合には、自動ログアウトを設定するか否かを判断する（Ｓ４０３）。ステップＳ４０２において入力内容が正しくない場合にはステップＳ４０１へ戻る。
【００１６】
ステップＳ４０３においてユーザーＡの設定が自動ログアウト設定しないを選択した場合には、ステップＳ４１１へ進む。
【００１７】
ステップＳ４１１において、自動ログアウトは設定されずに内線端末１１２に対してユーザーＡ（内線番号：２００）はログインし、また、内線端末１１１からユーザーＡは自動ログアウトされる（Ｓ４１０）。
【００１８】
テップ４０３において、ユーザーＡが自動ログアウトを設定することを選択した場合は、ステップＳ４０４へ進む。
【００１９】
ステップＳ４０４において、ユーザーＡの指定したログアウト時刻設定方法が絶対時刻設定か、または相対時間設定かを判断する。
【００２０】
ステップＳ４０４において、ユーザーＡが絶対時刻設定を選択した場合には、ユーザーＡはログアウト時刻を入力し（Ｓ４０５）、その入力情報はＬＡＮ回線１２、ＬＡＮインターフェース回路１３、データ伝送路１４２を介して制御部１８に伝えられ、入力時刻が正しいか否かを判断する（Ｓ４０６）。ステップＳ４０６において、入力時刻が正しい場合には、内線端末１１２に対して自動ログアウトを設定し、内線端末１１２へユーザーＡ(内線番号：２００)によりログインする（Ｓ４０９）。また、内線端末１１１からユーザーＡは自動ログアウトされる（Ｓ４１０）。
【００２１】
ステップＳ４０６において、入力時刻が正しくない場合には、ステップＳ４０５へ進む。
【００２２】
ステップＳ４０４において、ユーザーＡが相対時間設定を選択した場合には、ユーザーＡはログインからログアウトするまでの相対時間を入力し（Ｓ４０７）、その入力情報はＬＡＮインターフェース回路１３、音声系伝送路１４１、データ伝送路１４２を介して制御部１８に伝えられ、入力時間が正しいか否かを判断する（Ｓ４０８）。ステップＳ４０８において、入力時間が正しい場合にはステップＳ４０９へ進む。
【００２３】
ステップＳ４０９において、内線端末１１２に対して自動ログアウトを設定し、内線端末１１２へユーザーＡ(内線番号：２００)によりログインし、また、内線端末１１１からユーザーＡは自動ログアウトされる（Ｓ４１０）。
【００２４】
ステップＳ４０８において、入力時刻が正しくない場合には、ステップＳ４０７へ進む。
【００２５】
図５は、自動ログアウトの処理の流れを表したものである。ユーザーＡが内線端末１１２に対してＤＮ(２００)にて自動ログアウトを設定してログインしている場合、設定された自動ログアウトの時刻になったか否かを判断し（Ｓ５０１）、自動ログアウトの時刻になっていない場合には、ステップＳ５０１へ進み、ステップＳ５０１にて自動ログアウトの時刻になっている場合には、ステップＳ５０２へ進む。
【００２６】
ステップＳ５０２において、一定時間が経過したか否かを判断し、一定時間が経過していないときは、内線端末１１２の呼び出しを続け（Ｓ５０５）、ステップＳ５０２へ戻る。ステップＳ５０２において、一定時間が経過した場合には、ステップＳ５０３へ進む。
【００２７】
ステップＳ５０３において、内線端末１１２からユーザーＡ（内線番号：２００）を自動的にログアウトする。
【００２８】
また、内線端末１１１に対して、ユーザーＡ（内線番号：２００）により自動的にログインする（Ｓ５０４）。
【００２９】
以上説明したように、ユーザーＡが、移動先の内線端末からのログイン操作をするときに、自動ログアウトを設定可能とすることにより、ログアウト操作を忘れてしまったような場合、ユーザーＡが移動先に既に居ないにも関わらず、ユーザーＡに対する呼び出しが移動先内線端末に発生し続けてしまうことを防ぎ、また、移動元の内線端末にユーザーＡに対する呼び出しを戻すことができる。
【００３０】
さらに、ログインの有効時間が経過したときに、一定の期間は移動先の内線端末の呼び出しを行い、一定時間応答しないときは、移動元の内線端末の呼び出すことにより、移動先で予定していた滞在時間が延びてしまい、滞在予定時間を見越して設定した自動ログアウト時間を過ぎてしまったような場合でも、移動先の内線端末１１２を一定の期間は呼び出すので、移動先にて呼び出しに応答することができる。
【図面の簡単な説明】
【００３１】
【図１】この発明の一実施例について説明するためのシステム構成図。
【図２】この発明における自動ログアウトを設定する場合の着信動作について説明するための模式図。
【図３】この発明における自動ログアウトの着信動作について説明するための模式図。
【図４】自動ログアウトが設定されるまでの処理の流れについて説明するためのフローチャート。
【図５】自動ログアウトの処理の流れについて説明するためのフローチャート。
【符号の説明】
【００３２】
１１１，１１２〜１１ｎ  内線端末
１２  ＬＡＮ回線
１３  ＬＡＮインターフェース
１４  交換機
１４１  音声系伝送路
１４２  データ系伝送路
１５１，１５２〜１５ｎ  トランク回路
１６１，１６２〜１６ｎ  局線
１７  ネットワーク１７
１８  制御部
１９  メモリ
【図１】
2005151441.tif 000003
【図２】
2005151441.tif 000004
【図３】
2005151441.tif 000005
【図４】
2005151441.tif 000006
【図５】
2005151441.tif 000007